(57)【特許請求の範囲】
【請求項１】
無線システムにおける同期のための基地局（７００、８００）における方法であって、
１つまたは複数のビットを含む物理ブロードキャストチャネル（ＰＢＣＨ）を送信すること（３１０）であって、前記１つまたは複数のビットが、前記無線システムの周波数があらかじめ規定された周波数までの周波数範囲内にある場合には、追加のシステム情報を指示し、そうでなければ、スロットグループを含んでいる同期信号バーストセットにおける少なくとも１つの同期信号ブロックを含む前記スロットグループのロケーションを指示する、送信すること（３１０）を含む方法。
【請求項２】
前記ＰＢＣＨが、前記スロットグループの内部の前記少なくとも１つの同期信号ブロックのロケーションを指示する１つまたは複数のビットを搬送するダウンリンクパイロット信号シーケンスと交互配置される、請求項１に記載の方法。
【請求項３】
前記追加のシステム情報が、前記無線システムに対する共存システムのフレーム番号オフセットを含む、請求項１または２に記載の方法。
【請求項４】
前記追加のシステム情報が、前記共存システムにおける近隣セルのシステム情報を含む、請求項１から３のいずれか一項に記載の方法。
【請求項５】
前記共存システムにおける近隣セルの前記システム情報が前記近隣セルの識別子を含む、請求項４に記載の方法。
【請求項６】
前記追加のシステム情報が、前記無線システムにおける近隣セルの同期信号バーストセットの設定情報と、前記無線システムにおける同期情報に関係のある指示とを含む、請求項１から５のいずれか一項に記載の方法。
【請求項７】
前記無線システムにおける前記近隣セルの前記同期信号バーストセットの前記設定情報が、前記近隣セルにおいて実際に送信される前記同期信号ブロックの数および前記同期信号バーストセットの周期性を含む、請求項６に記載の方法。
【請求項８】
前記１つまたは複数のビットが前記ＰＢＣＨのペイロードに含まれる、請求項１から７のいずれか一項に記載の方法。
【請求項９】
前記１つまたは複数のビットが前記ペイロードの最上位ビットである、請求項８に記載の方法。
【請求項１０】
前記あらかじめ規定された周波数が６ＧＨｚである、請求項１から９のいずれか一項に記載の方法。
【請求項１１】
無線システムの基地局（７００）であって、
プロセッサ（７０１）と、
記憶装置（７０２）であって、前記記憶装置が、前記プロセッサ（７０１）によって実行可能な命令を含有していることにより、前記基地局（７００）が請求項１から１０のいずれか一項に記載の方法を遂行するように機能する、記憶装置（７０２）とを備える基地局。
【請求項１２】
コンピュータプログラムを記憶しているコンピュータ可読記憶媒体であって、基地局によって実行可能な前記コンピュータプログラムが、請求項１から１０のいずれか一項に記載の同期のための方法を前記基地局に実行させる、コンピュータ可読記憶媒体。
【請求項１３】
無線システムにおける同期のための、端末デバイスにおける方法であって、
基地局から、１つまたは複数のビットを含む物理ブロードキャストチャネル（ＰＢＣＨ）を受信すること（９１０）であって、前記１つまたは複数のビットが、前記無線システムの周波数があらかじめ規定された周波数までの周波数範囲内にある場合には、追加のシステム情報を指示し、そうでなければ、スロットグループを含んでいる同期信号バーストセットにおける少なくとも１つの同期信号ブロックを含む前記スロットグループのロケーションを指示する、受信することと、
前記１つまたは複数のビットから、前記同期信号バーストセットにおける前記スロットグループの前記ロケーションまたは前記追加のシステム情報を取得すること（９２０）とを含む方法。
【請求項１４】
前記ＰＢＣＨが、前記スロットグループの内部の前記少なくとも１つの同期信号ブロックのロケーションを指示する１つまたは複数のビットを搬送するダウンリンクパイロット信号シーケンスと交互配置され、
前記ダウンリンクパイロット信号シーケンスから前記スロットグループの内部の前記少なくとも１つの同期信号ブロックの前記ロケーションを取得することをさらに含む、請求項１３に記載の方法。
【請求項１５】
前記追加のシステム情報が、前記無線システムに対する共存システムのフレーム番号オフセットを含む、請求項１３または１４に記載の方法。
【請求項１６】
前記追加のシステム情報が、前記共存システムにおける近隣セルのシステム情報を含む、請求項１３から１５のいずれか一項に記載の方法。
【請求項１７】
前記共存システムにおける近隣セルの前記システム情報が、前記近隣セルの識別子を含む、請求項１６に記載の方法。
【請求項１８】
前記追加のシステム情報が、前記無線システムにおける近隣セルの前記同期信号バーストセットの設定情報を含む、請求項１３から１７のいずれか一項に記載の方法。
【請求項１９】
前記無線システムにおける近隣セルの前記同期信号バーストセットの前記設定情報が、前記近隣セルにおいて実際に送信される前記同期信号ブロックの数および前記同期信号バーストセットの周期性を含む、請求項１８に記載の方法。
【請求項２０】
前記追加のシステム情報が、前記無線システムにおける同期情報に関係のある指示を含む、請求項１３から１９のいずれか一項に記載の方法。
【請求項２１】
前記１つまたは複数のビットが前記ＰＢＣＨのペイロードに含まれる、請求項１３から２０のいずれか一項に記載の方法。
【請求項２２】
前記１つまたは複数のビットが前記ペイロードの最上位ビットである、請求項２１に記載の方法。
【請求項２３】
前記あらかじめ規定された周波数が６ＧＨｚである、請求項１３から２２のいずれか一項に記載の方法。
【請求項２４】
無線システムにおける、プロセッサ（１０１１）および記憶装置（１０１２）を備える端末デバイス（１０００）であって、前記記憶装置（１０１２）が、前記プロセッサ（１０１１）によって実行可能な命令を含有していることにより、前記端末デバイス（１０００）が、請求項１３から２３のいずれか一項に記載の方法を遂行するように機能する、端末デバイス。
【請求項２５】
コンピュータプログラムを記憶しているコンピュータ可読記憶媒体であって、端末デバイスによって実行可能な前記コンピュータプログラムが、請求項１３から２３のいずれか一項に記載の同期のための方法を前記端末デバイスに実行させる、コンピュータ可読記憶媒体。
【発明の詳細な説明】
【技術分野】
【０００１】
本開示は一般に無線通信技術に関し、詳細には、無線システムと、関係のあるデバイスとにおける同期のための方法に関するものである。
【背景技術】
【０００２】
端末デバイスは、ネットワークに接続するために、ネットワーク同期情報を得て、必須のシステム情報を取得する必要がある。同期信号（ＳＳ）は、ネットワークに対して端末デバイスの周波数を調節して、ネットワークから受信される信号の適切なタイミングを見いだすために使用される。
【０００３】
新無線（ＮＲ）システムでは、同期およびアクセスのためのプロシージャは、以下のようにいくつかの信号を包含し得る。
【０００４】
ＮＲ１次同期信号（ＮＲ−ＰＳＳ）により、数十ｐｐｍまでの高い初期周波数誤差がある状態でネットワーク検知が可能になる。加えて、ＮＲ−ＰＳＳにより、ネットワークタイミング基準がもたらされる。３ＧＰＰは、Ｌｏｎｇ  Ｔｅｒｍ  Ｅｖｏｌｕｔｉｏｎ（ＬＴＥ）システムにおけるＰＳＳ信号およびＮＲシステムにおけるｍシーケンスとして、Ｚａｄｏｆｆ−Ｃｈｕシーケンスを選択している。
【０００５】
ＮＲ２次同期信号（ＮＲ−ＳＳＳ）により、より正確な周波数調節およびチャネル推定が可能になり、同時に、たとえばセル識別子（ＩＤ）といった基本的なネットワーク情報がもたらされる。
【０００６】
ＮＲ物理ブロードキャストチャネル（ＮＲ−ＰＢＣＨ）は、最小のシステム情報のサブセットをもたらす。また、ＮＲ−ＰＢＣＨは、たとえばセルから送信されたビームの間のタイミングを分離するために、セルの内部のタイミング情報をもたらす。もちろん、ＮＲ−ＰＢＣＨに入れる情報量は、サイズを小さく保つために高度に制限されている。その上、復調用参照信号（ＤＭＲＳ）は、受信するために、ＮＲ−ＰＢＣＨリソースと交互配置される。
【０００７】
ＮＲシステム用に提案されるような同期信号ブロック（ＳＳＢ）は、上記の信号ＮＲ−ＰＳＳ、ＮＲ−ＳＳＳ、ＮＲ−ＰＢＣＨおよび関係のあるＤＭＲＳを含み得る。図１は、ＮＲ−ＰＢＣＨがＳＳＢの一部であるＳＳＢの実例を示す。この実例では、ＮＲ−ＰＢＣＨ送信用に２つのＯＦＤＭシンボルが確保されている。ＮＲ−ＰＳＳおよびＮＲ−ＳＳＳは１２７のサブキャリアの幅に規定されており、ＮＲ−ＰＢＣＨは２８８のサブキャリアの幅に規定されている。
【０００８】
一般的に時間において近い複数のＳＳブロックはＳＳバーストセットを構成する。ＳＳバーストセットは周期的に繰り返され、たとえばデフォルトは２０ミリ秒ごとである。端末デバイスは、ＳＳバーストセットにおけるＳＳブロックを使用することにより、ダウンリンクタイミングおよび周波数オフセットを判定して、ＮＲ−ＰＢＣＨからいくつかの基本的なシステム情報を得ることができる。アイドルモードのＮＲ  ＵＥは２０ミリ秒ごとに送信されるＳＳバーストセットを予期し得、接続モードのＮＲ  ＵＥは５ミリ秒ごとのＳＳバーストセットを予期し得ることが合意されている。それゆえに、ＮＲ  ＵＥは、ダウンリンク同期を一旦取得すると、ＳＳブロック送信が予期されるスロットを認識する。ＮＲ  ＵＥは、サブフレームレベルの同期を導出するために、ＳＳバーストセットにおけるＳＳブロックのロケーションを与えられる必要がある。
【発明の概要】
【０００９】
したがって、本開示の実施形態の目的は、ＳＳバーストセットにおけるＳＳブロックのロケーションならびに追加のシステム情報を指示することができる無線システムにおける同期のための方法を提供することである。
【００１０】
本開示の第１の態様によれば、無線システムにおける同期のために基地局において遂行される方法が提供される。この方法は、１つまたは複数のビットを含む物理ブロードキャストチャネル（ＰＢＣＨ）を送信することを含む。１つまたは複数のビットは、同期信号バーストセットにおける少なくとも１つの同期信号ブロックを含むスロットグループのロケーションおよび／または追加のシステム情報を指示する。詳細には、無線システムの周波数がたとえば６ＧＨｚといったあらかじめ規定された周波数までの周波数範囲内にある場合、１つまたは複数のビットは追加のシステム情報を指示する。無線システムの周波数があらかじめ規定された周波数よりも高い場合には、１つまたは複数のビットは、スロットグループを含む同期信号バーストセットにおける少なくとも１つの同期信号ブロックを含むスロットグループのロケーションを指示する。
【００１１】
いくつかの実施形態では、ＰＢＣＨは、スロットグループの内部の少なくとも１つの同期信号ブロックのロケーションを指示する１つまたは複数のビットを搬送するダウンリンクパイロット信号シーケンスと交互配置され得る。
【００１２】
いくつかの実施形態では、追加のシステム情報は、無線システムに対する共存システムのフレーム番号オフセット、共存システムにおける近隣セルのシステム情報、無線システムにおける近隣セルの同期信号バーストセットの設定情報、および無線システムにおける同期情報に関係のある指示のうち少なくとも１つ含む。
【００１３】
いくつかの実施形態では、共存システムにおける近隣セルのシステム情報は、近隣セルの識別子を含む。
【００１４】
いくつかの実施形態では、ＮＲシステムにおける近隣セルの同期信号バーストセットの設定情報は、近隣セルにおいて実際に送信される同期信号ブロックの数および同期信号バーストセットの周期性を含む。
【００１５】
本開示の第２の態様によれば、無線システムの基地局が提供される。基地局はプロセッサおよび記憶装置を備える。記憶装置にはプロセッサによって実行可能な命令が含有されており、それによって基地局は本開示の第１の態様による方法を遂行するように機能する。
【００１６】
本開示の第３の態様によれば、コンピュータプログラムを記憶しているコンピュータ可読記憶媒体が提供される。基地局は、このコンピュータプログラムを実行することにより、本開示の第１の態様による、無線システムにおける同期のための上記の方法を実行することができる。
【００１７】
本開示の第４の態様によれば、無線システムにおける同期のために端末デバイスにおいて遂行される方法が提供される。この方法は、基地局から１つまたは複数のビットを含むＰＢＣＨを受信することを含む。１つまたは複数のビットは、同期信号バーストセットにおける少なくとも１つの同期信号ブロックを含むスロットグループのロケーションおよび／または追加のシステム情報を指示する。次いで、１つまたは複数のビットから、同期信号バーストセットにおけるスロットグループのロケーションおよび／または追加のシステム情報が取得される。詳細には、無線システムの周波数がたとえば６ＧＨｚといったあらかじめ規定された周波数までの周波数範囲内にある場合、１つまたは複数のビットは追加のシステム情報を指示する。無線システムの周波数があらかじめ規定された周波数よりも高い場合には、１つまたは複数のビットは、スロットグループを含む同期信号バーストセットにおける少なくとも１つの同期信号ブロックを含む前記スロットグループのロケーションを指示する。
【００１８】
本開示の第５の態様によれば、無線システムの端末デバイスが提供される。端末デバイスはプロセッサおよび記憶装置を備える。記憶装置に含有された、プロセッサによって実行可能な命令により、端末デバイスは本開示の第４の態様による同期のための方法を遂行するように機能する。
【００１９】
同期のための方法は、ＰＢＣＨ、特にＮＲ−ＰＢＣＨにおけるＳＳブロックのロケーションならびに追加のシステム情報を指示することができ、それによって端末デバイスのネットワーク検知が大幅に減少するという利点がある。
【００２０】
添付図面における本開示のいくつかの実施形態の詳細な説明により、本開示の上記および他の目的、特徴および利点がより明白になるはずであり、本開示の実施形態における同一の参照は、一般に同一の構成要素を指す。
【図面の簡単な説明】
【００２１】
【図１】ＳＳＢの実例を示す図である。
【図２】ＳＳバーストセットの図示である。
【図３】本開示のいくつかの実施形態による同期のための方法の図示である。
【図４】本開示のいくつかの実施形態によるＮＲ−ＰＢＣＨのペイロードの一例の図示である。
【図５】本開示のいくつかの実施形態によるＳＳブロックのロケーションの指示の一例の図示である。
【図６】ＮＲシステムとＬＴＥシステムの共存におけるシステムのフレーム番号オフセットの図示である。
【図７】本開示のいくつかの実施形態によるネットワークデバイスの概略ブロック図である。
【図８】本開示のいくつかの実施形態によるネットワークデバイスの概略ブロック図である。
【図９】本開示のいくつかの実施形態による同期のための方法の図示である。
【図１０】本開示のいくつかの実施形態による端末デバイスの概略ブロック図である。
【発明を実施するための形態】
【００２２】
本開示の望ましい実施形態を図示する添付図面を参照しながら、いくつかの望ましい実施形態をより詳細に説明する。しかしながら、本開示は様々なやり方で実施され得、したがって、本明細書で開示された実施形態に限定されると解釈されるべきではない。むしろ、それらの実施形態は、本開示の十分かつ完全な理解のために提供され、当業者に対して本開示の範囲を完全に伝えるものである。
【００２３】
現在、３ＧＰＰでは、ＳＳバーストセットの内部のＳＳブロックの送信は、ＳＳバーストセットの周期性に関係なく５ミリ秒のウィンドウに制限されることが合意されている。この５ミリ秒のウィンドウの範囲内で可能な候補のＳＳブロックのロケーションの数はＬである。したがって、異なる周波数範囲について、ＳＳバーストセットＬの内部のＳＳブロックの最大数は異なる。３ＧＨｚまで（すなわち≦３ＧＨｚ）の周波数範囲については、Ｌは４である。３ＧＨｚ〜６ＧＨｚ（すなわち３ＧＨｚ＜周波数≦６ＧＨｚ）の周波数範囲については、Ｌは８である。６ＧＨｚ〜５２．６ＧＨｚ（すなわち６ＧＨｚ＜周波数≦５２．６ＧＨｚ）の周波数範囲については、Ｌは６４である。各ＳＳバーストセットの内部のＳＳブロックの最小数が性能要件を規定すると想定されていることに留意されたい。ＳＳバーストセットは図２に示された通りである。グレースケールのブロックは、ＳＳブロックを送信するためのスロットを表現している。図２に示される「１５ｋＨｚ」、「３０ｋＨｚ」、「１２０ｋＨｚ」および「２４０ｋＨｚ」は、サブキャリア間隔を指す。
【００２４】
さらに、ＳＳブロックのロケーションを指示するＳＳブロック時間インデックスのいくつかのビットが、各５ミリ秒の期間の範囲内のＤＭＲＳシーケンスを変更することによって搬送されることが合意されている。ＰＢＣＨのシーケンスにスクランブルをかけると、タイミング情報の一部が搬送され得、または搬送され得ない。ＳＳブロック時間インデックスの残りのビットは、ＮＲ−ＰＢＣＨペイロードで明示的に搬送されてよい。したがって、ＤＭＲＳシーケンスによる暗示的手法を使用するＮＲ−ＰＢＣＨ送信およびＮＲ−ＰＢＣＨペイロードの明示的ビットによってＳＳブロック時間インデックスを配送することが合意されている。
【００２５】
このやり方でＳＳブロック時間インデックスを指示することには以下の問題がある。
１．異なる周波数範囲については、ＳＳブロック時間インデックスのビットの総数が異なる。
２．ＮＲ−ＰＢＣＨペイロードのサイズは、規定されて、すべての周波数範囲について一定であるべきである。
３．異なる周波数範囲については、ＮＲ−ＰＢＣＨペイロードにおける明示的ビットの数に対する異なる要件があるはずである。
【００２６】
要約すると、より高い周波数範囲に関する明示的ビットの数は、より低い周波数範囲に関する明示的ビットの数よりも多くなる。
【００２７】
上記の問題を考慮して、無線システムにおける同期のための新規の方法が提案される。図３は、本開示のいくつかの実施形態による同期のための方法を図示するものである。本開示のいくつかの実施形態では、この方法は、無線システムのネットワークデバイスによって遂行されてよい。無線システムはたとえばＮＲシステムでよく、ネットワークデバイスは、ＮＲシステムにおける、たとえばｇＮｏｄｅＢといった基地局でよい。
【００２８】
図３に示されるように、ブロック３１０において、ネットワークデバイスは、ＰＢＣＨ、特にＮＲシステムにおけるＮＲ−ＰＢＣＨに、少なくとも１つのビットを含み得る。少なくとも１つのビットの１つまたは複数のビットは、ＳＳバーストセットにおける少なくとも１つのＳＳブロックを含むスロットグループのロケーションおよび／または追加のシステム情報を指示し得る。詳細には、ネットワークデバイスは、１つまたは複数のビットを含むＰＢＣＨを端末デバイスに送信する。無線システムの周波数がたとえば６ＧＨｚといったあらかじめ規定された周波数までの周波数範囲内にある場合、１つまたは複数のビットは追加のシステム情報を指示する。無線システムの周波数があらかじめ規定された周波数よりも高い場合には、１つまたは複数のビットは、スロットグループを含む同期信号バーストセットにおける少なくとも１つのＳＳブロックを含むスロットグループのロケーションを指示する。
【００２９】
いくつかの実施形態では、少なくとも１つのビットの１つまたは複数のビットは、スロットグループの内部の少なくとも１つのＳＳブロックのロケーションを指示し得る。そのような実施形態では、１つまたは複数のビットは、たとえばＤＭＲＳシーケンスといった異なるダウンリンクパイロット信号シーケンスによって搬送され得る。
【００３０】
上記で説明されたように、ＳＳバーストセットは複数のＳＳブロックを含み得る。３ＧＨｚまでの周波数範囲については、ＳＳバーストセットは４つのＳＳブロックを含み得る。３ＧＨｚ〜６ＧＨｚの周波数範囲については、ＳＳバーストセットは８つのＳＳブロックを含み得る。６ＧＨｚ〜５２．６ＧＨｚの周波数範囲については、ＳＳバーストセットは６４のＳＳブロックを含み得る。いくつかの実施形態では、たとえば、スロットグループは、３ＧＨｚからの周波数範囲については連続した４つのスロットを含み、３ＧＨｚまでの周波数範囲については連続した２つのスロットを含み、各スロットは高々２つのＳＳブロックを含有し得ると想定されている。したがって、３ＧＨｚまでの周波数範囲については、ＳＳバーストセットが１つのスロットグループを含み得、１つのスロットグループの各スロットが２つのＳＳブロックを含み、したがってＳＳバーストセットは４つのＳＳブロックを含む（すなわちＬ＝４）。３ＧＨｚ〜６ＧＨｚの周波数範囲については、ＳＳバーストセットが１つのスロットグループを含み得、スロットグループの各スロットが２つのＳＳブロックを含み得、したがってＳＳバーストセットは８つのＳＳブロックを含む（すなわちＬ＝８）。６ＧＨｚ〜５２．６ＧＨｚの周波数範囲については、ＳＳバーストセットが８つのスロットグループを含み得、８つのスロットグループの各々が８つのＳＳブロックを含み得、したがってＳＳバーストセットは６４のＳＳブロックを含む（すなわちＬ＝６４）。当業者なら、スロットグループは任意の他の数のスロットから成り得ることを理解するであろう。
【００３１】
次に、すべての周波数範囲について同期のための方法が実施される一例を詳細に説明する。この例はＮＲシステムにおいて適用される。この例では、ＮＲ−ＰＢＣＨは、ＳＳバーストセットにおけるＳＳブロックのロケーションを表す６ビットを含み得る。６ビットのうち３ビットは、ＮＲ−ＰＢＣＨのペイロードに含まれ得、ＳＳバーストセットにおけるスロットグループのロケーションおよび／または追加のシステム情報を指示するのに使用され得る。以下では、ＮＲ−ＰＢＣＨのペイロードにおけるビットは「明示的ビット」とも称され得る。他の３ビットはスロットグループの内部のＳＳブロックのロケーションを指示するために使用され得、ＤＭＲＳシーケンスによって搬送され得る。図４を参照して、スロットグループのロケーションおよび／または追加のシステム情報を指示するための３つの明示的ビットｓ（０）、ｓ（１）、ｓ（２）は、上位層およびＬ１ペイロードからのＭＩＢ（主情報ブロック）を付加されて、ＮＲ−ＰＢＣＨのペイロードを構成する。
【００３２】
６ＧＨｚ未満の周波数範囲の場合には、ＳＳバーストセットにおけるＳＳブロックの最大数は８である。したがって、ＳＳブロックのロケーションは、ＤＭＲＳシーケンスのみを使用して指示され得る。残り３つの明示的ビットは、後に説明する追加のシステム情報を指示するために使用され得る。
【００３３】
６ＧＨｚよりも高い周波数範囲の場合には、ＳＳバーストセットにおけるＳＳブロックの最大数は６４である。６つのビットのすべてがＳＳブロックのロケーションを指示するために使用される。この場合、図５に示されるように、ＮＲ−ＰＢＣＨのペイロードにおける３つの明示的ビットは、８つのスロットグループのロケーションを指示してよく、異なるＤＭＲＳシーケンスによって搬送される３つのビットはスロットグループの内部の８つのＳＳブロックのロケーションを暗示的に指示してよい。
【００３４】
上記では、ＤＭＲＳシーケンスによって搬送されるビットが３ビットであってＮＲ−ＰＢＣＨのペイロードにおける明示的ビットが３ビットである例を説明してきたが、当業者なら、ＤＭＲＳシーケンスによって搬送されるビットが２ビットでよく、ＮＲ−ＰＢＣＨのペイロードにおける明示的ビットが４ビットでよいことを理解するであろう。
【００３５】
加えて、当業者なら、ＮＲ−ＰＢＣＨにおけるビット数が６ビットよりも多くてよいことも理解するであろう。この場合、ＳＳブロックのロケーションを表すもの以外のビットは、追加のシステム情報を指示し得る。
【００３６】
いくつかの実施形態では、ＤＭＲＳシーケンスによって搬送されるビットは、ＳＳバーストセットにおける少なくとも１つのＳＳブロックを含むスロットグループのロケーションを指示してよく、ＮＲ−ＰＢＣＨのペイロードにおける明示的ビットは、スロットグループの内部のＳＳブロックのロケーションおよび／または追加のシステム情報を指示してよい。
【００３７】
いくつかの実施形態では、追加のシステム情報は、無線システムに対する共存システムのフレーム番号オフセットを含み得る。無線システムがＮＲシステムである場合には、共存システムはＬＴＥシステムでよい。これら２つのシステムでは、フレーム期間は１０ミリ秒として規定され、図６に図示されるような異なるフレーム番号を有し得る。図６では、ＬＴＥシステムにおけるフレーム番号は
0006668559.tif 000002
と表され、同一の期間のＮＲシステムにおけるフレーム番号は
0006668559.tif 000003
と表される。ほとんどすべてのデータ、特にシステム情報の送信は、フレーム番号に基づくので、正確なフレーム番号は、ＮＲユーザ機器などの端末デバイスにとってさらに重要な意味をなすはずである。したがって、２つのシステム間のフレーム番号オフセット、すなわち
0006668559.tif 000004
は、明示的ビットによって指示されてよい。フレーム番号オフセットは、明示的ビットの数に依拠して、明示的ビットが３つであれば８つのフレームの範囲内であるなど、明示的ビットがより多ければより多くのフレームの範囲内となる。
【００３８】
いくつかの実施形態では、追加のシステム情報は、共存システムにおける近隣セルのシステム情報を含み得る。そのようなシステム情報は、たとえばターゲットセルである近隣セルの識別子を含み得る。
【００３９】
ＬＴＥシステムでは、５０４の固有の物理層セルアイデンティティがある。物理層セルアイデンティティは、それぞれが３つの固有のアイデンティティを含有している１６８の固有の物理層セルアイデンティティグループへとグループ化されてよい。グループ化は、各物理層セルアイデンティティが、ただ１つの物理層セルアイデンティティグループの一部となるようにする。したがって、物理層セルアイデンティティは
0006668559.tif 000005
によって一意的に規定され得、番号
0006668559.tif 000006
は０〜１６７の範囲にあり、物理層セルアイデンティティグループを表現し、番号
0006668559.tif 000007
は０〜２の範囲にあり、物理層セルアイデンティティグループの内部の物理層アイデンティティを表現する。
【００４０】
この場合、３つの明示的ビットは、表１に示されるように、現在サービングしているセルの近く（カバレッジエリア）にある物理層セルアイデンティティグループの内部の、物理層アイデンティティ０、１または２を有する、共存ＬＴＥシステムの１つまたは複数の近隣セルの存在を指示するために使用され得る。
0006668559.tif 000008
【００４１】
いくつかの実施形態では、追加のシステム情報は、無線システムにおける近隣セルのＳＳバーストセットの設定情報を含み得る。たとえば、そのような設定情報は、近隣セルにおいて実際に送信された同期信号ブロックの数および同期信号バーストセットの周期性を含み得る。
【００４２】
６ＧＨｚ未満の周波数範囲の場合には、ＳＳブロックの最大数Ｌは８または４であり、実際のＳＳブロック（複数可）送信のための候補ロケーションは、任意の割当てを防止するためにセットとしてあらかじめ規定されていなければならない。たとえば、ロケーションは、すべての３つの周波数範囲に対して２つ、３つおよび６つのビットしか（６ＧＨｚよりも高い周波数範囲に対して）必要とされないように、ＳＳバーストセットにおける連続したＮ（Ｎ≦Ｌ）のブロックとして規定され得る。
【００４３】
したがって、すべての近隣のＮＲセル（複数可）の中で実際に送信されるＳＳブロックの最大数またはターゲットセルとしての近隣セルの実際に送信されるＳＳブロックの数を用いて１つのＮＲ近隣セル（存在する場合）の実際に送信されるＳＳブロックの数を指示するために、３つの明示的ビットが以下のように規定され得る。「０００」はセル（複数可）における最大１つのＳＳブロックが実際に送信されることを指示する。「００１」はセル（複数可）における最大２つのＳＳブロックが実際に送信されることを指示する。「０１０」はセル（複数可）における最大３つのＳＳブロックが実際に送信されることを指示する。「１００」はセル（複数可）における最大４つのＳＳブロックが実際に送信されることを指示する。「０１１」はセル（複数可）における最大５つのＳＳブロックが実際に送信されることを指示する。「１０１」はセル（複数可）における最大６つのＳＳブロックが実際に送信されることを指示する。「１１０」はセル（複数可）における最大７つのＳＳブロックが実際に送信されることを指示する。「１１１」はセル（複数可）における最大８つのＳＳブロックが実際に送信されることを指示する。
【００４４】
いくつかの実施形態では、追加のシステム情報は、無線システムにおける同期情報に関係のある指示を含み得る。加えて、当業者なら、追加のシステム情報は前述のシステム情報の任意の組合せであり得ることを理解するであろう。
【００４５】
上記の説明から、上記の実施形態による同期のための方法が、ＳＳブロックのロケーションならびにＮＲ−ＰＢＣＨにおける追加のシステム情報を指示し得ることが理解され得る。その上に、同数の明示的ビットが、無線システム、特にＮＲシステムに関するすべての周波数範囲に対して使用され得る。明示的ビットは、ロケーションの一部を指示すること以外に、追加のシステム情報を指示するために使用され得る。
【００４６】
図７は、本開示のいくつかの実施形態によるネットワークデバイス７００の概略ブロック図である。ネットワークデバイス７００は、たとえばＮＲシステムにおけるｇＮｏｄｅＢといった無線システムの基地局でよい。図７に示されるように、ネットワークデバイス７００はプロセッサ７０１および記憶装置７０２を備え得る。記憶装置７０２は、プロセッサ７０１によって実行可能な命令を含有し得る。ネットワークデバイス７００は、ＰＢＣＨにおける少なくとも１つのビット、同期信号バーストセットにおける少なくとも１つの同期信号ブロックを含むスロットグループのロケーションを指示する少なくとも１つのビットのうち１つまたは複数のビット、ならびに／あるいは追加のシステム情報を含むように機能する。詳細には、ネットワークデバイス７００は、１つまたは複数のビットを含むＰＢＣＨを送信するように機能する。無線システムの周波数がたとえば６ＧＨｚといったあらかじめ規定された周波数までの周波数範囲内にある場合、１つまたは複数のビットは追加のシステム情報を指示する。無線システムの周波数があらかじめ規定された周波数よりも高い場合には、１つまたは複数のビットは、スロットグループを含むＳＳバーストセットにおける少なくとも１つのＳＳブロックを含むスロットグループのロケーションを指示する。
【００４７】
プロセッサ７０１は、ローカルの技術的環境に適する任意のタイプでよく、非限定的な例として、汎用コンピュータ、専用コンピュータ、マイクロプロセッサ、デジタル信号プロセッサ（ＤＳＰ）およびマルチコアプロセッサアーキテクチャに基づくプロセッサのうち１つまたは複数を備え得る。記憶装置７０２は、ローカルの技術的環境に適する任意のタイプでよく、半導体ベースの記憶デバイス、フラッシュメモリ、磁気記憶式のデバイスおよびシステム、光記憶式のデバイスおよびシステム、固定記憶装置および取外し可能記憶装置など、任意の適切なデータ記憶技術を使用して実施され得る。
【００４８】
いくつかの実施形態では、ネットワークデバイス７００は、無線端末との間で信号を送受信するように機能するトランシーバ７０３と、バックエンドネットワーク要素と信号を通信するように機能するネットワークインターフェース７０４とをさらに備え得る。
【００４９】
本開示のいくつかの実施形態によれば、同期のためのネットワークデバイス８００が提供される。図８に示されるように、ネットワークデバイス８００は、ＮＲシステムにおける、たとえばｇＮｏｄｅＢといった基地局でよい。ネットワークデバイスが備え得る送信モジュール８０１は、物理ブロードキャストチャネル（ＰＢＣＨ）における少なくとも１つのビット、同期信号バーストセットにおける少なくとも１つの同期信号ブロックを含むスロットグループのロケーションを指示する少なくとも１つのビットのうち１つまたは複数のビット、ならびに／あるいは追加のシステム情報を含むように機能する。
【００５０】
図８は、ネットワークデバイス８００における様々な機能モジュールを図示するのみであり、当業者なら、実際上、任意の適切なソフトウェアおよびハードウェアを使用してこれらの機能モジュールを実施し得ることに留意されたい。したがって、本明細書の実施形態は、一般にネットワークデバイス８００および機能モジュールの示された構造に限定されることはない。
【００５１】
本開示のいくつかの実施形態では、コンピュータプログラムを記憶しているコンピュータ可読記憶媒体も提供される。デバイスは、このコンピュータプログラムを実行し得、同期のための上記の方法を実行することができる。
【００５２】
本開示のいくつかの実施形態によれば、無線システムにおける同期のために端末デバイスにおいて遂行される方法がさらに提供される。図９に示されるように、ブロック９１０において、ＰＢＣＨの少なくとも１つのビットがネットワークデバイスから受信される。少なくとも１つのビットの１つまたは複数のビットは、同期信号バーストセットにおける少なくとも１つの同期信号ブロックを含むスロットグループのロケーションおよび／または追加のシステム情報を指示する。詳細には、端末デバイスは、基地局から、１つまたは複数のビットを含むＰＢＣＨを受信する。無線システムの周波数がたとえば６ＧＨｚといったあらかじめ規定された周波数までの周波数範囲内にある場合、１つまたは複数のビットは追加のシステム情報を指示する。無線システムの周波数があらかじめ規定された周波数よりも高い場合には、１つまたは複数のビットは、スロットグループを含むＳＳバーストセットにおける少なくとも１つのＳＳブロックを含むスロットグループのロケーションを指示する。次いで、ブロック９２０において、この少なくとも１つのビットから、同期信号バーストセットにおけるスロットグループのロケーションおよび／または追加のシステム情報が取得される。
【００５３】
いくつかの実施形態では、少なくとも１つのビットの１つまたは複数のビットは、スロットグループの内部の少なくとも１つの同期信号ブロックのロケーションを指示する。この方法では、１つまたは複数のビットから、スロットグループの内部の少なくとも１つの同期信号ブロックのロケーションが取得される。
【００５４】
いくつかの実施形態では、無線システムはＮＲシステムである。
【００５５】
本開示のいくつかの実施形態によれば、無線システムの端末デバイス１０００がさらに提供される。図１０に示されるように、端末デバイス１０００はプロセッサ１０１１および記憶装置１０１２を備える。記憶装置１０１２が、プロセッサ１０１１によって実行可能な命令を含有していることにより、端末デバイスは、図９に関して説明されたような同期のための方法を遂行するように機能する。端末デバイス１０００は、携帯電話、ウェアラブルデバイス、タブレットなどの無線デバイス、無線通信機能を伴う車両、または無線通信機能を伴う任意の他のタイプの電子デバイスでよい。
【００５６】
一般に、様々な例示的実施形態が、ハードウェアもしくは専用の回路、ソフトウェア、論理またはそれらの任意の組合せで実施され得る。たとえば、いくつかの態様はハードウェアで実施され得、他の態様は、コントローラ、マイクロプロセッサまたは他のコンピュータデバイスによって実行され得るファームウェアまたはソフトウェアで実施され得るが、本開示はそれらに限定されない。この開示の例示的実施形態の様々な態様が、ブロック図、流れ図として、またはいくつかの他の図的記述を使用して図示され、かつ説明され得るが、本明細書で説明されたこれらのブロック、装置、システム、技術または方法は、非限定的な例として、ハードウェア、ソフトウェア、ファームウェア、専用の回路もしくは論理、汎用のハードウェアもしくはコントローラ、または他のコンピュータデバイス、あるいはそれらのいくつかの組合せで実施され得ることが十分に理解される。
【００５７】
そのため、本開示の例示的実施形態の少なくともいくつかの態様は、集積回路チップおよびモジュールなどの様々な構成要素で実施され得ることを理解されたい。したがって、この発明の例示的実施形態は集積回路として具現される装置において実現され得、集積回路は、この開示の例示的実施形態に従って動作するように設定可能なデータプロセッサ、デジタル信号プロセッサ、ベースバンドサーキットリおよび無線周波数サーキットリのうち少なくとも１つまたはより多くのものを具現するためのサーキットリ（ならびに可能なファームウェア）を備え得ることを理解されたい。
【００５８】
本開示の例示的実施形態の少なくともいくつかの態様は、１つまたは複数のコンピュータまたは他のデバイスによって実行される１つまたは複数のプログラムモジュールなどのコンピュータ実行可能命令で具現され得ることを理解されたい。一般に、プログラムモジュールに含まれるルーチン、プログラム、オブジェクト、コンポーネント、データ構造などは、コンピュータのプロセッサまたは他のデバイスによって実行されたとき、特定のタスクを遂行するか、または特定の抽象データ型を実施する。コンピュータ実行可能命令は、ハードディスク、光ディスク、リムーバブル記憶媒体、ソリッドステートメモリ、ＲＡＭなどのコンピュータ可読媒体上に記憶されてよい。当業者には理解されるように、プログラムモジュールの機能は、様々な実施形態において要求通りに組み合わされるかまたは分散されてよい。加えて、この機能は、全体または一部において、集積回路、フィールドプログラマブルゲートアレイ（ＦＰＧＡ）などのファームウェアまたはハードウェアの等価物で具現されてよい。
【００５９】
本開示は、本明細書で明示的に、またはその何らかの一般化で開示された、あらゆる斬新な特徴または特徴の組合せを含むものである。当業者には、この開示の前述の例示的実施形態に対する様々な修正形態および改造が、前述の説明を考慮して添付図面に関連して読み取られたとき明白になり得る。しかしながら、あらゆる修正形態は、依然としてこの開示の非限定的かつ例示的実施形態の範囲内に含まれることになる。
【要約】
無線システムにおける同期のための方法が開示される。この方法では、物理ブロードキャストチャネル（ＰＢＣＨ）に少なくとも１つのビットが含まれており、少なくとも１つのビットの１つまたは複数のビットが、同期信号バーストセットにおける少なくとも１つの同期信号ブロックを含むスロットグループのロケーションおよび／または追加のシステム情報を指示する。
【選択図】図３【図１】
0006668559.tif 000009
【図２】
0006668559.tif 000010
【図３】
0006668559.tif 000011
【図４】
0006668559.tif 000012
【図５】
0006668559.tif 000013
【図６】
0006668559.tif 000014
【図７】
0006668559.tif 000015
【図８】
0006668559.tif 000016
【図９】
0006668559.tif 000017
【図１０】
0006668559.tif 000018